(57)【特許請求の範囲】
【請求項１】
測定対象物から放出される放射線により電離した空気を吸引して電離電流値を測定して
β放射能を求めるβ放射能測定装置において、前記測定対象物の近傍空間とこの近傍空間
から離れた離間空間とを隔離する隔離板と、前記近傍空間から空気を吸引してα線による
電離が支配的となるα線電離電流値を求めるとともに、前記離間空間から空気を吸引して
β線による電離が支配的となるβ線電離電流値を求める電流値測定手段と、前記α線電離
電流値とβ線電離値との比を求め、この比と予め求めたβ線源のみで汚染された測定対象
物のα線電離電流値とβ線電離値との基準の比とを比較してα線及びβ線の放射能を評価
する手段とを備えたことを特徴とするβ線放射能測定装置。
【発明の詳細な説明】
【技術分野】
【０００１】
本発明は、β／γ放射性物質の全β放射能量を測定するβ放射能測定装置に係り、特に
β線によって電離された空気を電離箱内に移送し、イオン化による電流量を測定すること
によりβ放射能を求めるβ放射能測定装置に関する。
【背景技術】
【０００２】
一般に、放射線により電離した空気を電離箱内に吸引し、イオン化による電流値を測定
して放射能を求める装置あるいは方法においては、α線により電離した空気を吸引して、
電離箱内でα放射能を求める発明が知られている（例えば、特許文献１参照）。
【０００３】
この従来例は、図２に示すようにイオン化された空気がファン１によって吸引され、イ
オンは接地された側板２に囲まれ、かつ電源３から電圧が印加されたグリッド４に収集さ
れ、このグリッド４と電源３との間に接続された電流計５により電離電流が測定される。
【０００４】
したがって、従来α線に対しては、閉空間内での電離作用に着目し、その限定された空
間内の空気の電離量を測定していた。α線１崩壊当たりの電離イオン数は多く、α線の飛
程は空気中で高々約５ｃｍと短いため、放射線源近傍の空気が高密度で電離されることに
より、前記従来例の構成によってα放射能が測定可能となる。
【０００５】
一方、β線についてはα線と比べて飛程が長く、より大きな体積における空気電離量を
測定する必要があるため、上記のような小型閉空間の測定装置の構成では、電離電流の測
定下限値の制約もあり測定することができなかった。このため、β汚染については、この
ような空気電離計測手段ではなく、表面サーベイ・計測の一般的手法が用いられている。
【先行技術文献】
【特許文献】
【０００６】
【特許文献１】米国特許第５，１９４，７３７号明細書
【発明の概要】
【発明が解決しようとする課題】
【０００７】
ところで、従来の電離電流を利用した放射能測定装置では、α線による電離電流を測定
し、α放射能を求めるものであって、β放射能を求めるためものではない。そのため、装
置構成、測定方法などもβ線を求めるために設定された条件ではないため、測定精度が低
いという課題があった。一般に、原子力発電所で発生する廃棄物はβ／γ放射性廃棄物で
あり、そのためβ放射能を簡便に測定可能な装置が求められている。
【０００８】
本発明は上記事情を考慮してなされたもので、簡便かつ高精度にβ放射能を測定するこ
とができるβ放射能測定装置を提供することを目的とする。
【課題を解決するための手段】
【０００９】
上記目的を達成するため、本発明のβ放射能測定装置においては、測定対象物から放出
される放射線により電離した空気を吸引して電離電流値を測定してβ放射能を求めるβ放
射能測定装置において、前記測定対象物の放射線源の近傍空間とこの近傍空間から離れた
離間空間とを隔離する隔離板と、前記近傍空間から空気を吸引してα線による電離が支配
的となるα線電離電流値を求めるとともに、前記離間空間から空気を吸引してβ線による
電離が支配的となるβ線電離電流値を求める電流値測定手段と、前記α線電離電流値とβ
線電離電流値との比を求め、この比と予め求めた基準の比率とを比較してα線およびβ線
の放射能を評価する手段とを備えたことを特徴とするものである。
【発明の効果】
【００１０】
本発明のβ放射能測定装置によれば、測定対象物の放射線源の近傍空間とそれより離れ
た離間空間とを隔離する隔離板を設け、放射線源の近傍空間の空気を吸引してα線による
電離の影響が大きい電離電流とし、放射線源の離間空間の空気を吸引してβ線による電離
電流として、α線による電離電流を補正することにより、高精度にβ放射能を測定するこ
とができる。
【図面の簡単な説明】
【００１１】
【図１】本発明に係るβ放射能測定装置の実施形態を示す構成図。
【図２】従来のβ放射能測定装置の一例を示す構成図。
【発明を実施するための形態】
【００１２】
以下、本発明に係るβ放射能測定装置の実施形態を図面に基づいて説明する。
【００１３】
図１は本発明に係るβ放射能測定装置の実施形態を示す構成図である。
【００１４】
図１に示すように、測定対象物１１は、α線源２３およびβ線源２４が設置された近傍
空間（周辺部）２６と、この近傍空間２６から離れた離間空間（中心部）２７とが隔離板
２８により互いに隔離して形成されている。
【００１５】
この放射線源の近傍空間２６における密閉板２５には、近傍空間吸引パイプ２９が連結
され、この近傍空間吸引パイプ２９に吸引パイプ１２が接続される一方、離間空間２７に
おける密閉板２５には、離間空間吸引パイプ３０が連結され、この離間空間吸引パイプ３
０に吸引パイプ１２が接続されている。
【００１６】
そして、吸引ポンプ１４を駆動し、近傍空間２６から近傍空間吸引パイプ２９および吸
引パイプ１２を経て空気を吸引することにより、α線による電離が支配的となるα線電離
電流値が電離電流測定装置１３により求められる一方、離間空間２７から離間空間吸引パ
イプ３０および吸引パイプ１２を経て空気を吸引することにより、β線による電離が支配
的となるβ線電離電流値が電離電流測定装置１３により求められる。
【００１７】
また、データ処理装置１６は、上記α線電離電流値とβ線電離電流値との比を求め、こ
の比と予め求めた基準の比率とを比較してα線およびβ線の放射能を評価する。
【００１８】
次に、本実施形態の作用を説明する。
【００１９】
測定対象物１１は、例えばパイプのような内部に空間を有し、内部が放射能によって汚
染されているものとする。今、α線源２３のエネルギ−が５〜６ＭｅＶとすると、空気中
での飛程は３．５ｃｍから４．６ｃｍであるので、５ｃｍの距離でこれらのα線が停止す
る。したがって、測定対象物１１の内表面近傍から５ｃｍ程度を境界として隔離板２８が
設置される。
【００２０】
測定対象物１１の内表面から隔離板２８までの近傍空間２６の空気は、α線とβ線によ
って電離される一方、隔離板２８から測定対象物１１の離間空間２７の空気はβ線によっ
て電離される。
【００２１】
ここで、α線とβ線によって電離された測定対象物１１の内表面近傍の空気は、吸引ポ
ンプ１４により近傍空間吸引パイプ２９および吸引パイプ１２を経て電離電流測定装置１
３まで吸引され、β線とα線による電離イオンの電流値Ａが測定される。
【００２２】
一方、隔離板２８から測定対象物１１の離間空間２７の空気は、吸引ポンプ１４により
離間空間吸引パイプ３０および吸引パイプ１２を経て電離電流測定装置１３まで吸引され
、β線による電流値Ｂが測定される。
【００２３】
これら電流値Ａ、電流値Ｂは、データ処理装置１６に記録され、次に、この処理装置１
６により電流値Ａ／電流値Ｂの比を計算し、この比と予め求めたβ線源のみで汚染された
測定対象物１１の電流値Ａ／電流値Ｂの基準値比とを比較する。
【００２４】
ここで、基準電流値比に対する測定電流値比が１以下であれば、α線の混在が少ないの
で測定対象物１１の電流値Ｂからβ放射能を求める。また、基準電流値比に対する測定電
流値比が１未満であれば、α線の混在があるので、測定対象物１１の電流値Ｂからは前述
のようにしてβ放射能を求め、測定対象物１１の電流値Ａからは、測定対象物１１の電流
値Ｂに補正係数を乗じて算出したβ線の寄与分の電流値を電流値Ａから減算すれば、α線
の電離による電流値を得ることができ、α線の電離電流からα放射能への換算定数を使用
することにより、α放射能を算出する。
【００２５】
このように構成された本実施形態において、測定対象物表面から５ｃｍの位置に設置さ
れた隔離板２８に対し、測定対象物１１の離間空間２７の空気の電離イオンを収集して測
定すれば、β線の電離に起因した電流が測定されるので、高精度にβ放射能の測定を行う
ことができる。
【００２６】
なお、隔離板２８の設置位置は、α線のエネルギ−、測定対象物１１の寸法と深く関係
し、これらの関係に応じて測定対象物１１の内表面から２ｃｍ、３ｃｍ、４ｃｍに適宜設
置することも可能である。
【００２７】
また、測定対象物１１の内部を２個以上の隔離板により、３個以上の隔離領域を設定し
、これらの内部の空気をそれぞれ独立に吸引してイオン化による電流を測定し、前述した
ように、これらの電流値を比較すれば、β線のエネルギーに関するデータを収集すること
が可能となり、一段と高精度にβ放射能を評価することができる。
【００２８】
このように本実施形態によれば、隔離板２８によりα線の空気中の飛程より長い位置か
らの空気を吸引することによりα線の影響をなくして、β線のみにより電離したイオンを
測定しているので、高精度にβ放射能の測定を行うことができる。
【符号の説明】
【００２９】
１１ 測定対象物
１２ 吸引パイプ
１３ 電離電流測定装置（電流値測定手段）
１４ 吸引ポンプ
１５ 測定対象物内の空気
１６ データ処理装置
２２ 遮蔽板
２３ α線源
２４ β線源
２５ 密閉板
２６ 近傍空間
２７ 離間空間
２８ 隔離板
２９ 近傍空間吸引パイプ
３０ 離間空間吸引パイプ 
【図１】
0004892040.tif 000002
【図２】
0004892040.tif 000003